【事件の表示】
　平成１１年特許願第２７９０６７号「弾球遊技機」拒絶査定不服審判事件〔平成１３年　４月１０日出願公開、特開２００１−　９６０３９〕について、次のとおり審決する。
【結　論】
　本件審判の請求は、成り立たない。
【理　由】
１．手続の経緯
　本願は、平成１１年９月３０日に出願されたものであって、平成１３年５月９日付で拒絶査定がなされ、これに対し、平成１３年６月１２に拒絶査定に対する審判請求がなされるとともに、平成１３年７月４日付で手続補正がなされたものである。
　　　
２．平成１３年７月４日付の手続補正についての補正却下の決定
［補正却下の決定の結論］
　平成１３年７月４日付の手続補正を却下する。
［理由］
（１）補正後の本願発明
　本件補正により、特許請求の範囲の請求項１は、次のように補正された。
　「遊技盤面上に発射された遊技球の挙動に起因した遊技の進行を司る主制御基板と、
　遊技者に賞球を払い出す賞球払出制御基板と、
　前記主制御基板及び賞球払出制御基板に電源を供給する電源基板と、
　遊技盤面上に発射された遊技球の入賞を検出する遊技球検出手段と、
　を含む弾球遊技機において、
　前記主制御基板に、
　前記遊技球検出手段により入賞があることが検出されると、入賞に対応する賞球個数の種別を区分してビット単位でメモリに入賞の順番に従ってアドレス順に書き込む入賞順番記憶手段と、
　該入賞順番記憶手段に記憶された賞球個数のデータを前記賞球払出制御基板に送信する入賞送信手段と、
　該入賞送信手段により前記データの送信が行われると、前記入賞順番記憶手段に記憶された前記データの更新処理を行う記憶更新手段と、を備え、
　前記賞球払出制御基板に、
　前記入賞送信手段により送信された前記データを受信すると、受信したデータを、未払入賞数を更新することによって、賞球個数の未払のデータに加算し記憶する加算記憶手段と、
　該加算記憶手段により加算され記憶された未払いの賞球個数のデータに従って賞球の払い出しを実行する払出実行手段と、
　該払出実行手段により賞球の払い出しが行われた後、加算記憶手段に記憶された前記データの入賞順番記憶更新処理を実行する未払データ更新手段と、を備え、更に、
　停電時に、前記賞球払出制御基板への電源電圧が第１の基準電圧まで低下したことが検出されるとＲＡＭへのアクセスを禁止し、前記第１の基準電圧よりも低く設定された第２の基準電圧まで低下したことが検出されるとＣＰＵをリセット状態とし、ＲＡＭに記憶された前記データを記憶保持する記憶保持手段と、
　前記電源基板により停電時から復帰する際には、前記賞球払出制御基板を前記主制御基板より早く立ち上げるリセット解除手段と、
　を備えたことを特徴とする弾球遊技機。」
　
　上記補正は、請求項１に記載した発明を特定するために必要な事項である「加算記憶手段」について「未払入賞数を更新することによって」との限定を付加し、同じく「データ」について「賞球個数の」との限定を付加し、同じく「記憶保持手段」について「電源電圧が第１の基準電圧まで低下したことが検出されるとＲＡＭへのアクセスを禁止し、前記第１の基準電圧よりも低く設定された第２の基準電圧まで低下したことが検出されるとＣＰＵをリセット状態とし」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　　　　
（２）引用例及び引用発明
　i．引用例の記載事項
　原査定の拒絶理由において引用された、本願出願前に国内において頒布された刊行物である特開平６−７１０２８号公報（以下「引用例」という）には、以下の事項が記載されている。
【請求項１】遊技盤の遊技部内に設けた入賞領域へ入賞した入賞球の種別を検出する入賞種別検出手段と、上記入賞種別検出手段によって検出された入賞球の種別に応じた賞球排出数を個別に記憶する賞球排出数記憶手段と、上記賞球排出数記憶手段の記憶内容を保護する記憶保護手段と、上記賞球排出数記憶手段が記憶する賞球排出数に基づいて、遊技球排出装置より賞球を排出させる排出動作制御手段と、を備えることを特徴とする遊技機。
【請求項２】全ての入賞領域へ入賞した球を一括して検出する入賞球検出手段を備え、上記入賞球検出手段が検出した入賞球と入賞種別検出手段が検出した入賞球種別とを照合して決定された賞球排出数を賞球排出数記憶手段が個別に記憶保持するようにしたことを特徴とする請求項１に記載の遊技機。
【００４４】電気的制御装置５６は、中央演算装置（ＣＰＵ９８）及び記憶装置（ＲＯＭ９９、ＲＡＭ１００）を主な構成要素とし、ＣＰＵ９８には電源を供給する電源回路１０１、クロックを供給する分周回路１０２、音声発生のためのサウンドジェネレータ１０３等が連絡している。また、サウンドジェネレータ１０３はアンプ１０４を介してスピーカ６１に連絡していて、遊技の効果音等を発生する。
【００４５】また、ＣＰＵ９８へはバッファゲート１０５及びローパスフィルタ１０６を介して、第１特図始動入賞球検出器４１、第２特図始動入賞球検出器４２、第３特図始動入賞球検出器４３、継続入賞球検出器４４、大入賞口入賞球検出器４５、第１普図始動ゲート通過球検出器４６、第２普図始動ゲート通過球検出器４７、排出制御装置５８等と連絡し、これらの検出器や装置からの信号を受信する。
【００４６】なお、図５に示すブロック図においては省略したが、遊技機１の電気的制御装置５６は、当該遊技店の管理装置とも接続してあり、該管理装置より打止め制御や管理情報要求等の指令信号を受信する。また、第１〜第４一般入賞口１１ａ〜１１ｄへ入賞した球を夫々検出する第１一般入賞球検出器４８、第２一般入賞球検出器４９、第３一般入賞球検出器５０、第４一般入賞球検出器５１よりの検出信号を、夫々電気的制御装置５６へ供給するようにしてもよい。
【００４９】この排出制御装置５８の主要部は、例えばワンチップ・マイクロコンピュータ１１１より構成するものとしてあり、ワンチップ内にＣＰＵ，ＲＯＭ，ＲＡＭが一体的に組み付けられ、電源回路１１２の供給電源に基づいて動作すると共に、発振器１１３より入力されるクロックを分周して用いる。また、上記ワンチップ・マイクロコンピュータ１１１へ停電検出信号を出力する停電検出回路１１４を設けてあり、上記電源回路１１２よりワンチップ・マイクロコンピュータ１１１へ供給される電源電圧を常時監視し、該電源電圧がワンチップ・マイクロコンピュータの動作を賄い得ない程低下した状態（停電状態）を検出することで停電検出信号を出力するのである。
【００５１】次に、遊技機１の電気的制御装置５６と排出制御装置５８における賞球排出機能についての要部を、図７に示す機能ブロック図に基づいて詳細に説明する。なお、本ブロック図においては、電気的制御装置５６の遊技制御に関連した諸機能や排出制御装置の貸球排出機能等に関連した部分を省略してある。
【００５２】先ず、遊技盤１０の遊技部９内に設けられた各種入賞領域への入賞球を検出する入賞種別検出手段１１７（図２においては、各入賞領域に設けた第１〜第３始動入賞球検出器４１〜４３、継続入賞球検出器４４、大入賞口入賞球検出器４５等の検出器）より出力される入賞種別検出信号が、電気的制御装置５６の第１賞球排出数記憶手段１１８へ入力されるものとしてある。そして、上記第１賞球排出数記憶手段１１８は、入賞種別検出手段１１７より入力された入賞種別検出信号の示す入賞球の種別に応じた賞球排出数を個別に記憶し、当該賞球排出数を賞球排出数送信手段１１９へ送出するのである。
【００５３】なお、第１賞球排出数記憶手段１１８に複数の賞球排出数記憶がある場合には、入賞種別検出手段１１７より入力がある毎に予め定めた順番に賞球排出数を送出する構成とすればよい。例えば、第１賞球排出数記憶手段１１８が入賞球種別検出信号の入力された順に賞球排出数を記憶し、最も古い賞球排出数記憶から賞球排出数送信手段１１９へ出力するようにしてもよいし、賞球排出数の種別に対して何らかの優先順位を設定しておき、この優先順位に従って何れかの賞球排出数を優先的に賞球排出数送信手段１１９へ出力するようにしてもよい。
【００５４】一方、遊技機１の入賞球検出手段１２０（全ての入賞領域へ入賞した球を一括して検出するもので、上記実施例においてはセーフセンサ６３に該当する。なお、セーフセンサ６３では第１，第２普図始動ゲート３６ａ，３６ｂを通過入賞した球を検出できないので、これらの通過入賞球に対する賞球も行うように設定した場合には、セーフセンサ６３と第１，第２普図始動ゲート通過球検出器４６，４７とで入賞球検出手段として機能する。）より入力される入賞球検出信号は、排出制御装置５８の入賞球数記憶手段１２１へ入力されるものとしてあり、この入賞球数記憶手段１２１の入賞球記憶に基づいて、排出排出制御装置５８の賞球排出数要求手段１２２が上記賞球排出数送信手段１１９へ賞球排出数要求を行うのである。
【００５５】すなわち、賞球排出の対象となる何れかの入賞領域を通過する際に、各入賞球は入賞種別検出手段１１７によって検出されることで、当該入賞球種別に応じた賞球排出数が第１賞球排出数記憶手段１１８に記憶保持され、上記入賞領域を通過した後に入賞球検出手段１２０によって検出されることで、当該入賞球検出に基づく入賞球検出記憶が入賞球数記憶１２１に記憶保持されると共に、この入賞球検出記憶に基づいて賞球排出数要求手段１２２より賞球排出数送信手段１１９へ賞球排出数要求が為されると、上記第１賞球排出数記憶手段１１８より賞球排出数送信手段１１９に供給されていた賞球排出数が、排出制御装置５８内の第２賞球排出数記憶手段１２３へ送信されるのである。なお、賞球排出数送信手段１１９は賞球排出数の送信動作が完了する毎に第１賞球排出数記憶手段１１８へリセット信号を送信するものとし、該リセット信号の入力に伴って第１賞球排出数記憶手段１１８は当該賞球排出数の記憶を消去すると共に、別の賞球排出数を賞球排出数送信手段１１９へ出力するのである。
【００５６】斯くして、第２賞球排出数記憶手段１２３は、上記入賞種別検出手段１１７によって検出された入賞球の種別に応じた賞球排出数を個別に記憶し、該第２賞球排出数記憶手段が記憶する賞球排出数に基づいて、排出動作制御手段１２４が遊技球排出装置７１の動作制御を行い、該遊技球排出装置７１より所定数の賞球を排出させるのである。
【００５７】このように、全ての入賞領域へ入賞した球を一括して検出する入賞球検出手段１２０を備えるものとし、該入賞球検出手段１２０が検出した入賞球と上記入賞種別検出手段１１７が検出した入賞球種別とを照合して決定された賞球排出数を第２賞球排出数記憶手段１２３が記憶保持するようにすれば、遊技者の不正行為に起因して入賞種別検出手段１１７のみが動作したような場合を検出することが可能となり、不正検出に基づく遊技停止等を実行できる。
【００５８】上記第２賞球排出数記憶手段１２３は、賞球排出数送信手段１１９より賞球数を受けると、入賞球数記憶手段１２１へ記憶リセット信号を出力し、該記憶リセット信号が入力されることで、賞球排出数要求手段１２２への信号出力を停止すると共に、入賞球数記憶から「１」減ずることで、処理済みの記憶（賞球排出数が第２賞球排出数記憶手段１２３にセットされた記憶）をリセットするのである。
【００５９】また、第２賞球排出数記憶手段１２３の記憶内容に基づく賞球排出動作が完了すると、排出動作制御手段１２４は第２賞球排出数記憶手段１２３へ排出動作完了信号を送出し、該排出動作完了信号の入力に伴って、第２賞球排出数記憶手段１２３は、排出動作制御手段１２４への信号出力を停止すると共に、この排出動作が完了した賞球排出数についての記憶をリセットするのである。
【００６０】以上説明したように、本発明に係る遊技機１においては、遊技盤１０の遊技部９内に設けた各種の入賞領域へ入賞した入賞球の種別を入賞球種別検出手段１１７が検出し、該入賞球種別検出手段１１７によって検出された入賞球の種別に応じた賞球排出数が、第２賞球排出数記憶手段１２３に一旦記憶されることとなる。したがって、賞球排出動作が完了するまで入賞球を一旦貯留しておく従来の遊技機の如く、短時間に発生した大量の入賞球を処理できない場合に、貯留している入賞球が入賞球集合樋６２から遊技盤１０裏面側の入賞球集合樋等にまで溢れてしまい、各入賞領域から入賞球集合樋への入賞球受け入れを阻害してしまうような遊技上の不都合が生ずることを未然に防止できる。
【００６１】さらに、この第２賞球排出数記憶手段１２３に記憶されている賞球数記憶に基づいて、排出動作制御手段１２４が遊技球排出装置７１を制御し、賞球数記憶に応じた賞球を排出させるので、第２排出数記憶手段１２３と排出動作制御手段１２４を遊技機１の排出制御装置５８に設けることで、賞球数記憶に基づいた賞球数排出処理を実現可能となる。したがって、遊技球を一旦貯留する方式の従来の遊技機に対しても、当該入賞球に基づく賞球数記憶を第２賞球排出数記憶手段１２３に記憶保持させた後に当該入賞球を排出させる構成とすれば、賞球排出動作未完了分の入賞球が大量に残留することを防止できる。よって、賞球数記憶に基づいた賞球排出処理を実現できるので、本発明に係る第２賞球排出数記憶手段１２３および排出動作制御手段１２４を備える構成の排出制御装置５８を用いれば、従来の遊技機のハード構成を変更することなく、従来の遊技機とも互換性を保持することが可能となる。
【００６２】さらに、上記第２賞球排出数記憶手段１２３が複数の賞球排出数記憶を保持している場合、排出動作制御手段１２４は、第２賞球排出数記憶手段１２３の記憶が全てなくなるまで遊技球排出装置７１に賞球排出動作を連続して行わせることとなるが、一旦賞球排出動作を行わせた後には、次の賞球排出動作を行わせるまでの間に適宜なウエイトタイム（例えば、０．５秒）を生ぜしめるものとしてある。
【００６３】しかして、上記排出制御手段５８内には記憶保護手段１２５を設けてあり、例えば上記排出制御装置のＩ／Ｏブロック図（図６）において説明した停電検出手段１１４が停電状態を検出することで、入賞球数記憶手段１２１および第２賞球排出数記憶手段１２３の記憶内容を保護するために、記憶保持に必要な電源供給を行うものとし、電源供給停止から所定時間は第２賞球排出数記憶手段１２３と入賞球数記憶手段１２１の記憶内容をバックアップできるようにしてある。」、
【００６７】また、排出動作制御手段１２４には、記憶数判定手段１２７と排出間隔制御手段１２８とを設けてあり、第２賞球排出数記憶手段１２３に記憶保持されている未処理分の記憶数の残数レベルを記憶数判定手段１２７が判定し、この判定結果に基づいて、排出間隔制御手段１２８が遊技球排出装置７１を連続作動させる場合のウエイトタイムを可変制御するようにしてある。例えば、第２賞球排出数記憶手段１２３に記憶保持されている未処理分の総記憶数（賞球排出数の総計数値）が「５０個」未満であれば第１レベル、「５０個」以上「１００個」未満であれば第２レベル、「１００個」以上であれば第３レベルとし、第１レベルの場合にはウエイトタイムを０．５秒、第２レベルの場合にはウエイトタイムを０．４秒、第３レベルの場合にはウエイトタイムを０．３秒とする。斯くすることによって、第２賞球排出数記憶手段１２３の総記憶数が多い場合には、ウエイトタイムを短くして単位時間当りに行う賞球排出処理動作回数を多くし、賞球排出処理を迅速且つ円滑に行うようにするのである。
【００８８】排出制御装置５８の起動に際して、先ず、当該遊技機１に対する電源投入によるものか、停電復帰によるものか（後述する停電割込処理において停電記憶がセットされているか）を判定し、電源投入であれば各種のフラグやタイマを初期化する。一方、停電復帰であれば、停電時の出力状態へ戻す（例えば、第１，第２排出ソレノイド７７ａ，７７ｂをオン状態に復帰させたり、排出数表示器２８への表示出力を再開する）停電復帰処理を行って、停電によって中断された際の各処理へ戻る。
【００９０】ここで、“球貸要求フラグ”がセットされていれば、球貸レートに基づいて所定の排出数（例えば２５個）を排出カウンタにセットし、球貸排出処理を行う。さらに、“球貸要求フラグ”はセットされていないが、排出記憶を確認した結果、排出記憶が有った場合には、排出記憶に応じた排出数を排出カウンタにセットし、賞球排出に供される当該排出記憶をリセットして排出記憶を更新し、賞球排出処理を行う。
【００９５】次に、賞球排出処理について説明する。先ず、賞球排出処理においては、上記の如く排出記憶に基づいて排出カウンタにセットした排出数を「排出データエリア」にセットし、“賞球開始フラグ”および“賞球中フラグ”をセットし、第１，第２排出ソレノイド７７ａ，７７ｂをオンにする。
【０１０５】次に、電気的制御装置５６からのデータ信号を受信すると共に該受信データの種別を判定し、この判定したデータ中にて賞球数が有るか否かを判定し、賞球数データを受信していないと判断した場合には、そのまま入力処理を一旦終了する。一方、賞球数についてのデータを受信していると判断すれば、当該賞球数についての排出数記憶領域があるか否かを判定し、既に該当する排出数記憶領域が作成されている場合には当該排出数記憶の記憶値に「１」加算することで排出数記憶を更新し、未だ排出数記憶領域が作成されていない場合には該当する排出数記憶領域を作成し、作成した排出数記憶領域に「１」加算することで排出数記憶を更新する。
【０１０６】なお、斯かる処理法を採ったのは、予め全ての排出数に対応する排出数記憶領域を設けておくよりも、必要なときに必要な排出数記憶領域を作成して、該記憶領域に排出数を記憶させて行くことが効率的であると共に、排出数記憶のために予め用意する記憶手段（メモリ）の容量を少なくすることができるからである。しかも、予め予想される全ての排出数についての記憶領域を形成しておき、これら全ての記憶領域の記憶内容を総当たりで確認する方式を採ると、当該遊技盤１０の種別においては使用されない排出数についての記憶領域も確認することとなるために、排出記憶の確認を行う際の動作速度が遅くなってしまうので、本実施例の如く必要な記憶領域を順次作成すると共に排出記憶を更新して行くことで、処理速度の向上も期せるのである。また、賞球数に応じて作成した排出記憶領域は、電源投入時の初期化処理によってクリアされるものとし、不要となった排出数記憶領域が残ることもない。
　　
　また、引用例の第５図によれば、電気的制御装置５６のメモリであるＲＡＭ１００を対象に第１賞球排出数記憶手段１１８が設けられ、同じく第６図によれば、排出制御装置５８のメモリであるＲＡＭを対象に第２賞球排出数記憶手段１２３が設けられていることは、技術的に明らかである。
　　　
　ii．引用発明の認定
　前記摘示の記載及び図面によれば、引用例には、以下の発明（以下、「引用発明」という。）が記載されているものと認められる。
「遊技盤面上に発射された遊技球の挙動に起因した遊技の進行を司る電気的制御装置５６と、
　遊技者に賞球を排出する排出制御装置５８と、
　前記電気的制御装置５６及び排出制御装置５８に電源を供給するそれぞれの電源回路１０１及び電源回路１１２と、
　遊技盤面上に発射された遊技球の入賞を検出する入賞種別検出手段１１７と、
　を含む遊技機において、
　前記電気的制御装置５６に、
　前記入賞種別検出手段１１７より入力された入賞種別検出信号の示す入賞球の種別に応じた賞球排出数を入力された順に個別にＲＡＭ１００に記憶する第１賞球排出数記憶手段１１８と、
　該第１賞球排出数記憶手段１１８に記憶された賞球排出数を前記排出制御装置５８に送信するとともに、前記賞球排出数の送信動作が完了する毎に前記第１賞球排出数記憶手段１１８へリセット信号を送信して、前記第１賞球排出数記憶手段１１８に記憶された前記賞球排出数の記憶を消去させる賞球排出数送信手段１１９と、を備え、
　前記排出制御装置５８に、
　前記賞球排出数送信手段１１９により送信された前記賞球排出数を受信すると、受信した賞球排出数を個別にＲＡＭに記憶するとともに、未処理分の賞球排出数の総計数値を更新することと、賞球排出数の種別毎に当該排出数記憶の記憶値を「１」加算更新することで、排出数記憶を更新する第２賞球排出数記憶手段１２３と、
　該第２賞球排出数記憶手段１２３により加算され記憶された賞球排出数に基づいて遊技球排出装置７１の動作制御を行い、該遊技球排出装置７１より所定数の賞球を排出させるとともに、賞球排出動作が完了すると第２賞球排出数記憶手段１２３へ排出動作完了信号を送出し、この排出動作が完了した賞球排出数についての記憶をリセットさせる排出動作制御手段１２４と、を備え、更に、
　停電時に、排出制御手段５８内に設けた第２賞球排出数記憶手段１２３の記憶内容を保護するために、記憶保持に必要な電源供給を行い、ＲＡＭの記憶内容をバックアップする記憶保護手段１２５と、
　を備えた遊技機。」
　　　　
（３）対比
　本願補正発明と引用発明とを対比すると、引用発明の「電気的制御装置５６」、「排出する」、「排出制御装置５８」、「入賞種別検出手段１１７」、「賞球排出数」、「個別に」、「入賞種別検出信号の入力された順に」、「第１賞球排出数記憶手段１１８」、「賞球排出数送信手段１１９」、「消去」、「第２賞球排出数記憶手段１２３」、「排出動作制御手段１２４」及び「遊技機」は、それぞれ、本願補正発明の「主制御基板」、「払い出す」、「賞球払出制御基板」、「遊技球検出手段」、「賞球個数」、「区分して」、「入賞の順番に従って」、「入賞順番記憶手段」、「入賞送信手段、記憶更新手段」、「更新処理」、「加算記憶手段」、「払出実行手段、未払データ更新手段」及び「弾球遊技機」に相当する。
　そして、引用発明の「第２賞球排出数記憶手段１２３」は、受信した入賞に対応する賞球個数を個別にＲＡＭに記憶するとともに、賞球個数の種別毎に当該賞球個数に対応する入賞数の記憶値を「１」加算更新することにより排出数記憶を更新するものであるから、更新された賞球個数の種別毎の排出数記憶の全体として「未払入賞数を更新することによって、賞球個数の未払のデータに加算し記憶する」ものといえることから、本願補正発明の「加算記憶手段」に相当する。
　また、引用発明の「電源回路１０１及び電源回路１１２」は、本願補正発明の「電源基板」と対比して、いずれも「主制御基板」及び「賞球払出制御基板」に電源を供給する機能を有する「電源手段」において共通する。
　さらに、引用発明の「記憶保護手段１２５」は、「停電時に、排出制御手段５８内に設けた第２賞球排出数記憶手段１２３の記憶内容をバックアップする」ものであるから、本願補正発明の「記憶保持手段」と対比して、いずれも「停電時に、ＲＡＭに記憶された前記データを記憶保持する記憶保持手段」において共通する。
　そうすると、本願補正発明と引用発明の両者は、以下の点でそれぞれ、一致ならびに相違するものと認められる。
　一致点「遊技盤面上に発射された遊技球の挙動に起因した遊技の進行を司る主制御基板と、
　遊技者に賞球を払い出す賞球払出制御基板と、
　前記主制御基板及び賞球払出制御基板に電源を供給する電源基板と、
　遊技盤面上に発射された遊技球の入賞を検出する遊技球検出手段と、
　を含む弾球遊技機において、
　前記主制御基板に、
　前記遊技球検出手段により入賞があることが検出されると、入賞に対応する賞球個数を区分してメモリに入賞の順番に従って書き込む入賞順番記憶手段と、
　該入賞順番記憶手段に記憶された賞球個数のデータを前記賞球払出制御基板に送信する入賞送信手段と、
　該入賞送信手段により前記データの送信が行われると、前記入賞順番記憶手段に記憶された前記データの更新処理を行う記憶更新手段と、を備え、
　前記賞球払出制御基板に、
　前記入賞送信手段により送信された前記データを受信すると、受信したデータを、未払入賞数を更新することによって、賞球個数の未払のデータに加算し記憶する加算記憶手段と、
　該加算記憶手段により加算され記憶された未払いの賞球個数のデータに従って賞球の払い出しを実行する払出実行手段と、
　該払出実行手段により賞球の払い出しが行われた後、加算記憶手段に記憶された前記データの入賞順番記憶更新処理を実行する未払データ更新手段と、を備え、更に、
　停電時に、前記賞球払出制御基板への電源電圧が低下したことが検出されると、ＲＡＭに記憶された前記データを記憶保持する記憶保持手段と、
　を備えた弾球遊技機。」　　
　相違点Ａ．主制御基板及び賞球払出制御基板に電源を供給する電源手段が、本願補正発明は、電源基板であるのに対し、引用発明は、主制御基板及び賞球払出制御基板にそれぞれ設けられる電源回路である点。
　相違点Ｂ．入賞順番記憶手段により入賞に対応する賞球個数をメモリに書き込む際に、本願補正発明は、賞球個数の種別をビット単位で入賞の順番に従ってアドレス順に書き込む構成であるのに対し、引用発明は、賞球個数を入賞の順番に従って書き込む構成である点。
　相違点Ｃ．記憶保持手段が、本願補正発明は、停電時に、賞球払出制御基板への電源電圧が第１の基準電圧まで低下したことが検出されるとＲＡＭへのアクセスを禁止し、前記第１の基準電圧よりも低く設定された第２の基準電圧まで低下したことが検出されるとＣＰＵをリセット状態とし、ＲＡＭに記憶された賞球個数のデータを記憶保持するのに対し、引用発明は、停電時に、賞球払出制御基板への電源電圧が低下したことが検出されると、ＲＡＭに記憶された賞球個数のデータを記憶保持する点。
　相違点Ｄ．本願補正発明は、停電時から復帰する際には、賞球払出制御基板を主制御基板より早く立ち上げるリセット解除手段を備えるのに対し、引用発明は、該リセット解除手段を備えない点。
　　　　
（４）判断
　i．相違点Ａについて
　弾球遊技機の技術分野において、主制御基板及び賞球払出制御基板に電源を供給する電源基板を備える技術は、周知（例えば、特開平６−４７１５６号公報を参照、以下、周知技術Ａという。）である。
　そうすると、引用発明に示される、主制御基板及び賞球払出制御基板に電源回路を備える構成に代えて、前記周知技術Ａに示される、単独の電源基板を備える構成を採用することにより、前記相違点Ａに係る本願補正発明のように構成することは、当業者が容易に想到できることである。
　ii．相違点Ｂについて
　弾球遊技機の技術分野において、賞球の払出制御における賞球個数のデータを送受信するときに賞球個数を示すビット符号ではなく、賞球個数の種別を示すビット符号を使用する技術は、周知（例えば、特開平９−２６６９８１号公報、特開平３−２８６７９０号公報を参照、以下、周知技術Ｂ１という。）である。
　また、弾球遊技機の技術分野において、始動入賞時乱数や表示指令などの遊技制御に係るデータについて、該データを発生した順番に従ってアドレス順にメモリに書き込むとともに、該順番に従ってメモリから読み出して処理するという、いわゆる先入れ先出しの記憶処理技術は、周知（例えば、特開平５−３１２３８公報、特開平７−３１７２４号公報、特開平１０−１１８２７１号公報を参照、以下、周知技術Ｂ２という。）である。
　そうすると、引用発明に示される、賞球個数を入賞の順番に従って書き込む構成に代えて、前記周知技術Ｂ１に示される、賞球個数の種別を示すビット符号を使用する技術と、前記周知技術Ｂ２に示される、先入れ先出しの記憶処理技術とを採用することにより、前記相違点Ｂに係る本願補正発明のように構成することは、当業者が容易に想到できることである。
　iii．相違点Ｃについて
　制御装置にＣＰＵを用いた技術分野において、停電時に、制御装置への電源電圧が第１の基準電圧まで低下したことが検出されるとＲＡＭへのアクセスを禁止し、前記第１の基準電圧よりも低く設定された第２の基準電圧まで低下したことが検出されるとＣＰＵをリセット状態とし、ＲＡＭに記憶されたのデータを記憶保持する技術は、周知（例えば、特開平５−３５６１４号公報、特開平６−１８７２５３号公報を参照、以下、周知技術Ｃという。）である。
　そうすると、引用発明に示される、停電時に賞球払出制御基板への電源電圧が低下したことが検出されると、ＲＡＭに記憶された賞球個数のデータを記憶保持する構成に代えて、前記周知技術Ｃに示される、停電時に賞球払出制御基板への電源電圧が第１の基準電圧まで低下するとＲＡＭへのアクセスを禁止し、さらに第２の基準電圧まで低下するとＣＰＵをリセット状態とし、ＲＡＭに記憶された賞球個数のデータを記憶保持する構成を採用することにより、前記相違点Ｃに係る本願補正発明のように構成することは、当業者が容易に想到できることである。
　iv．相違点Ｄについて
　弾球遊技機の技術分野において、電源投入時に賞球払出制御基板や表示制御基板等の従制御基板を主制御基板より早く立ち上げるリセット解除手段を備える技術は、周知（例えば、特開平７−３２３１３３号公報、特開平１１−１０４３１２号公報公報を参照、以下、周知技術Ｄという。）である。
　そうすると、引用発明において、前記周知技術Ｄに示される、従制御基板を主制御基板より早く立ち上げるリセット解除手段を備える構成を採用することにより、前記相違点Ｄに係る本願補正発明のように構成することは、当業者が容易に想到できることである。
　v．作用効果について
　本願補正発明の作用効果は、引用発明及び前記周知技術に基づいて、当業者が容易に予測できるものである。
　vi．まとめ
　したがって、本願補正発明は、引用発明及び前記周知技術に基づいて、当業者が容易に発明をすることができたものであるから、特許法第２９条第２項の規定により、特許出願の際独立して特許を受けることができないものである。
　　　
（５）むすび
　以上のとおり、本件補正は、平成１５年改正前特許法第１７条の２第５項において準用する同法第１２６条第４項の規定に違反するので、特許法第１５９条第１項の規定において読み替えて準用する同法第５３条第１項の規定により却下すべきものである。
　　　　
３．本願発明
　平成１３年７月４日付の手続補正は上記のとおり却下されたので、本願の請求項１及び２に係る発明は、平成１３年４月６日付の手続補正書によって補正された明細書の特許請求の範囲の請求項１及び２に記載された「弾球遊技機」にあると認められるところ、その請求項１に記載された発明（以下、「本願発明」という。）は、以下のとおりのものである。
「遊技盤面上に発射された遊技球の挙動に起因した遊技の進行を司る主制御基板と、
　遊技者に賞球を払い出す賞球払出制御基板と、
　前記主制御基板及び賞球払出制御基板に電源を供給する電源基板と、
　遊技盤面上に発射された遊技球の入賞を検出する遊技球検出手段と、
　を含む弾球遊技機において、
　前記主制御基板に、
　前記遊技球検出手段により入賞があることが検出されると、入賞に対応する賞球個数の種別を区分してビット単位でメモリに入賞の順番に従ってアドレス順に書き込む入賞順番記憶手段と、
　該入賞順番記憶手段に記憶されたデータを前記賞球払出制御基板に送信する入賞送信手段と、
　該入賞送信手段によりデータの送信が行われると、前記入賞順番記憶手段に記憶されたデータの更新処理を行う記憶更新手段と、を備え、
　前記賞球払出制御基板に、
　前記入賞送信手段により送信されたデータを受信すると、受信したデータを未払データに加算し記憶する加算記憶手段と、
　該加算記憶手段により加算され記憶された未払データに従って賞球の払い出しを実行する払出実行手段と、
　該払出実行手段により賞球の払い出しが行われた後、加算記憶手段に記憶された未払データの更新処理を実行する未払データ更新手段と、を備え、更に、
　停電時に、前記賞球払出制御基板の未払データを記憶保持する記憶保持手段と、
　前記電源基板により停電時から復帰する際には、前記賞球払出制御基板を前記主制御基板より早く立ち上げるリセット手段と、
　を備えたことを特徴とする弾球遊技機。」
　　　
（１）引用例及び引用発明
　原査定の拒絶の理由において引用された引用例〔特開平６−７１０２８号公報〕及び引用発明は、上記２の（２）に記載したとおりのものである。
　　　
（２）対比・判断
　本願発明は、上記２で検討した本願補正発明から「加算記憶手段」の限定事項である「未払入賞数を更新することによって」との構成を省き、「データ」の限定事項である「賞球個数の」との構成を省き、「記憶保持手段」の限定事項である「電源電圧が第１の基準電圧まで低下したことが検出されるとＲＡＭへのアクセスを禁止し、前記第１の基準電圧よりも低く設定された第２の基準電圧まで低下したことが検出されるとＣＰＵをリセット状態とし」との構成を省いたものである。
　そうすると、本願発明の構成要件を全て含み、さらに他の構成要件を付加したものに相当する本願補正発明が、上記２の（４）に記載したとおり、引用発明及び前記周知技術に基づいて当業者が容易に発明をすることができたものであるから、本願発明も、同様の理由により、引用発明及び前記周知技術に基づいて当業者が容易に発明をすることができたものである。
　　　
（３）むすび
　以上のとおり、本願発明は、引用発明及び前記周知技術に基づいて当業者が容易に発明をすることができたものであるから、特許法第２９条第２項の規定により特許を受けることができない。
　したがって、本願は、特許請求の範囲の請求項２に係る発明について検討するまでもなく、拒絶をすべきものである。
　よって、結論のとおり審決する。